(57)【特許請求の範囲】
【請求項１】
スライダーのためのスライドバネであって、フック開口を閉鎖する閉鎖部と、スライド本体に固着して取り付けられる接続部と、前記閉鎖部と前記接続部との間に形成された、針本体上でのガイドのためのガイド部とを備え、
スライドバネは、バネ長手方向、バネ幅方向及びバネ高さ方向に広がっているスライドバネであって、
前記ガイド部と前記接続部との間に位置し、すじ内側凹部とすじ外側凸部とを有する少なくとも１本の溝形状に形成されたすじ部を備えているスライドバネであって、
同形状の複数のスライドバネを揃えるために、前記すじ部は、前記すじ外側凸部が、別のスライドバネのすじ内側凹部の中に受け入れ可能であるように構成され、これにより、前記接続部が前記別のスライドバネの接続部に面接触するように構成され、かつ前記ガイド部が前記別のスライドバネのガイド部に面接触するように構成され、前記複数のスライドバネの相互の積み重ねを確実にすることを特徴とするスライドバネ。
【請求項２】
前記すじ内側凹部及び前記すじ外側凸部が、同様の横断面の輪郭を有することを特徴とする請求項１記載のスライドバネ。
【請求項３】
前記すじ内側凹部及び前記すじ外側凸部がそれぞれ、円弧状の横断面の輪郭を有することを特徴とする請求項１及び２のいずれか１項に記載のスライドバネ。
【請求項４】
前記すじ内側凹部は、小さな半径の円弧状の横断面の輪郭を有し、前記すじ外側凸部は、前記すじ内側凹部よりも大きな半径の円弧状の横断面の輪郭を有することを特徴とする請求項１ないし３のいずれか１項に記載のスライドバネ。
【請求項５】
スライドバネが、前記バネ幅方向に、少なくとも１本のすじ部に沿って、少なくとも断面に関して、減少した材料厚みを有することを特徴とする請求項１ないし４のいずれか１項に記載のスライドバネ。
【請求項６】
スライド針のためのスライダーであって、スライド本体を有し、スライダーは、スライダー長手方向、スライダー幅方向及びスライダー高さ方向に広がっているスライダーであって、
請求項１ないし５のいずれか１項に記載の第１のスライドバネと、
請求項１ないし５のいずれか１項に記載の第２のスライドバネとを備えていることを特徴とするスライダー。
【請求項７】
前記第１のスライドバネ及び前記第２のスライドバネが、鏡像的に対称な形態に構成されていることを特徴とする請求項６記載のスライダー。
【請求項８】
編み目形成用の繊維機械のためのスライド針であって、フックを有する針本体と、スライドチャンネルとを備え、フックはフック開口を有し、スライド針は、針長手方向、針幅方向及び針高さ方向に広がっているスライド針であって、
請求項６及び７のいずれか１項に記載のスライダーを備え、
前記スライダーは、前記フック開口を開放、及び／又は閉鎖するために、前記針本体に対して前記針長手方向に変位可能であることを特徴とするスライド針。
【請求項９】
編み目形成用の繊維機械のためのガイド構造であって、ガイド構造は、スライド針のための少なくとも１本の針チャンネルを備え、少なくとも１本の針チャンネルは、チャンネル長手方向、チャンネル幅方向及びチャンネル高さ方向に広がっているガイド構造であって、
請求項８記載の少なくとも１本のスライド針を備え、
少なくとも１本のスライド針は、前記チャンネル長手方向に少なくとも１本の針チャンネル内でガイドされることを特徴とするガイド構造。
【請求項１０】
少なくとも１本の針チャンネルは、前記チャンネル高さ方向に開口した頂部を有し、少なくとも１本のスライド針の前記すじ部は、前記頂部よりも下で、少なくとも１本の針チャンネル内に配置されることを特徴とする請求項９記載のガイド構造。
【請求項１１】
スライドバネの前記すじ部を有する少なくとも１本のスライド針は、前記フック開口が開放されたときは、少なくとも１本の針チャンネル内で前記チャンネル幅方向に遊びをもってガイドされ、前記フック開口が閉鎖されたときには、前記針チャンネル内に前記チャンネル幅方向に前記すじ部とともにとどまることを特徴とする請求項９及び１０のいずれか１項に記載のガイド構造。
【請求項１２】
請求項１ないし５のいずれか１項に記載の少なくとも１個のスライドバネを作成する方法であって、複数個のスライドバネが、すじ内側凹部ですじ外側凸部をそれぞれ受け入れるように積み重ねられ、外向きに湾曲した凸面のすじ部が、内向きに湾曲した凹面の曲りの中に、受け入れられることを特徴とする方法。
【発明の詳細な説明】
【技術分野】
【０００１】
本発明は、スライダーのためのスライドバネに関する。スライドバネは、フック開口を閉鎖する閉鎖部と、スライド本体に接続する接続部と、針本体上でのガイドのためのガイド部とを備えている。スライドバネは、バネ長手方向、バネ幅方向及びバネ高さ方向に広がり、すじ内側凹部とすじ外側凸部とを有する少なくとも１本のすじ部を備えている。これに加えて、本発明は、スライド針のためのスライダーに関する。スライド針はスライド本体を有し、スライダーは、スライダー長手方向、スライダー幅方向、スライダー高さ方向に広がっている。これに加えて、本発明は、編み目形成用の繊維機械のためのスライド針に関する。スライド針は、フックを有する針本体と、スライドチャンネルとを備え、フックはフック開口を有し、スライド針は、針長手方向、針幅方向、針高さ方向に広がっている。これに加えて、本発明は、編み目形成用の繊維機械のためのガイド構造に関する。ガイド構造は、スライド針のための少なくとも１本の針チャンネルを備え、少なくとも１本の針チャンネルは、チャンネル長手方向、チャンネル幅方向、チャンネル高さ方向に広がっている。これに加えて、本発明は、この少なくとも１本のスライドバネを作成する方法に関する。
【背景技術】
【０００２】
ドイツ特許ＤＥ  １０１３０３６５  Ｃ１は、編み目形成用の繊維機械のためのスライド針を開示している。このスライド針は、末端を有するフックを軸の一端に保持する一つの針本体と、この軸に沿って互いに平行に設けられていて相互間に一つのスライドスリットを画定する二つのスリット壁と、このスライドスリット内にシフト可能に配置されていて少なくとも二つのスライドバネを備えた一つのスライダーとを備えている。このスライド針は、フックの方に向いた、両スライドバネの自由脚片が相互に離間する方向に湾曲されて、自由脚片の両バネ端が、接触部位を起点として、フックへ向かって開かれた漏斗体を形成すべく無接触状態を保ち、かつフックの方に向いた両自由脚片が、先細化域において、スリット壁に垂直に測ったスライドバネの厚みに関して各バネ端へ向かって先細にされ、スライド針を構成するように端に向けて減少し、低いスライド摩擦をもって高い操作安全性を供する。スライドバネは、その内部の傾斜部に、フックを受け入れる長手方向凹部を備えている。
【０００３】
欧州特許公開ＥＰ  ２５８１４８０  Ａ１はスライド針を開示している。このスライド針は、相対して位置する二つの側壁を有し長手方向に延びる針本体を有し、底部で画定されるスライドチャンネルを有し、スライドチャンネルに配置され、スライド方向に沿って変位できるスライダーを有し、側壁の少なくとも一つは、ガイド領域を有するチャンネルガイド凹部を有し、少なくとも側壁に引き込まれた状態では、スライドバネは、カムフォロワ面を有する横に曲げられたカムフォロワ部を有し、カムフォロワ部は、チャンネルガイド凹部に相対し、カムフォロワ部は、２個以上の変形部分を有し、これは微小な分割を伴ってスライド針を作成することを可能にする。スライダーは、互いに対称な２個のスライドバネを有する。スライドバネはそれぞれ平坦であり、互いに接触し、フックに向かう向きになった捕捉部が端部に設けられている。
【０００４】
ドイツ特許公開ＤＥ  １０２０１３１０５２３９  Ａ１はスライド針を開示している。このスライド針は、長手方向で延在するシャンクを備える針本体を有し、シャンクは、その端で、編目形成のために配置される針フックに続いており、ここで、針フックは、フック先端に続いており、幅方向で互いに隔てて配置された二つの側方フック領域を有するフック末端を備え、ここで、幅方向は長手方向に垂直な向きである。このスライド針は、針フックに向かって、また針フックから離れるように移動可能に針本体上に支持されるスライダーを有し、ここで、スライダーは二つのスライドブレードを備え、二つのスライドブレードは上側に機械支持領域を有し、ここで、二つのスライドブレードの各々は、ブレード端に内部開口領域を有し、内部開口領域は一緒に、長手方向における前部に向かって開口して針フックと関連付けられているフック凹部の範囲を定め、針フックは、機械停止位置でフック凹部内に係合し、ここで、内部開口領域と、それぞれの関連する側方フック領域との間にギャップが形成され、ギャップは、高さ方向で変化する幅方向のギャップ幅を有し、ここで、高さ方向は、長手方向に垂直、かつ幅方向に垂直な向きである。
【発明の概要】
【０００５】
本発明は、冒頭に言及されたスライドバネを構造・機能に関して改良する目的を基礎とするものである。本発明は、冒頭に言及されたスライダーを構造・機能に関して改良する目的を基礎とするものである。さらに、本発明は、冒頭に言及されたスライド針を構造・機能に関して改良する目的を基礎とするものである。これに加え、本発明は、冒頭に言及されたガイド構造を構造・機能に関して改良する目的を基礎とするものである。さらに、本発明は、冒頭に言及された方法を改良する目的を基礎とするものである。特に、スライドバネの剛性を増加させることとする。特に、スライドバネの剛性を、バネ高さ方向に延びる曲げ軸の周りで、増加させることとする。特に、針チャンネル内でスライド針をガイドする性能を改善する。特に、針チャンネル内で、一層精度の高いガイドを可能にする。特に、針チャンネル内でスライドバネを支持することを可能にする。特に、フック開口が閉じているときに、針チャンネル内でスライドバネを支持することを可能にする。特に、一層精度の高い編み目形成を可能にする。特に、繊維加工品の製造を、より一層の細かさをもって可能にする。特に、荷重のピークを低減させる。特に、作動できる時間を長くする。特に、製造費用、取扱い費用、収納のための費用、運送費用、物流作業の費用などの費用を低減させる。特に、スライドバネを重ね合せることを、可能にし、又は容易にする。特に、スライドバネの積層体の安定性を増す。特に、スライドバネを積層体として分けて扱うことを、可能にし、又は容易にすることとする。
【０００６】
この目的は、スライダーのためのスライドバネをもって、達成される。スライドバネは、フック開口を閉鎖する閉鎖部と、スライド本体に接続する接続部と、針本体上でのガイドのためのガイド部とを備え、スライドバネは、バネ長手方向、バネ幅方向及びバネ高さ方向に広がり、すじ内側凹部とすじ外側凸部とを有する少なくとも１本のすじ部（Ｓｉｃｋｅ；ｂｅａｄ，ｃｒｉｍｐ）を備えているスライドバネであって、積み重ね可能である。
【０００７】
すじ内側凹部及びすじ外側凸部が、少なくともほぼ、同様の横断面の輪郭を有してもよい。この同様の横断面の輪郭は、同様の平坦な幾何学図形に基づいた横断面の輪郭から構成されてもよい。すじ内側凹部及びすじ外側凸部は、円弧に基づいた横断面の輪郭から構成されてもよい。円弧は、少なくとも断面に関して、一定の曲率を有してもよい。円弧は、断面に関して、複数の異なる曲率を有してもよい。すじ内側凹部及びすじ外側凸部がそれぞれ、円弧状の横断面の輪郭を有してもよい。すじ内側凹部は、小さな半径の円弧状の横断面の輪郭を有し、すじ外側凸部は、大きな半径の円弧状の横断面の輪郭を有してもよい。スライドバネが、バネ幅方向に、少なくとも１本のすじ部に沿って、少なくとも断面に関して、減少した材料厚みを有してもよい。
【０００８】
すじ部を備えたスライドバネは、異なる横断面の輪郭を有するものの場合は、安全に、安定的に重ね合せ可能であるとは言えない。異なる横断面の輪郭は、平面上の異なる幾何学図形に基づいた横断面の輪郭でもあり得る。
【０００９】
バネ長手方向、バネ幅方向、バネ高さ方向は、互いに垂直であってもよい。バネ長手方向、バネ幅方向、バネ高さ方向は、三次元直交座標系の座標軸の方向と一致したものであってもよい。
【００１０】
スライドバネは、平らなバネ形状を有してもよい。スライドバネは、実質的に、平坦な形状を有してもよい。スライドバネは、実質的に、バネ長手方向及びバネ高さ方向に広がっていてもよい。
【００１１】
スライドバネは、バネ長手方向に関して、フック方向先端を備え、また、フック方向先端と反対側で、接続側の端部を備えていてもよい。スライドバネは、バネ高さ方向における底部と、底部と反対側の頂部とを備えていてもよい。
【００１２】
閉鎖部は、底部に位置していてもよい。閉鎖部は、フック方向先端に位置していてもよい。接続部は、接続側の端に位置していてもよい。接続部は、頂部に位置していてもよい。ガイド部は、底部に位置していてもよい。ガイド部は、接続側の端に位置していてもよい。ガイド部は、走行部の形状を有してもよい。
【００１３】
フック方向先端は、フック末端に対応して働き、フック開口を閉鎖するための接触を供するようになっている。スライドバネは、そのフック方向先端で、先端の中腹部を有するようにカム形状に形成されていてもよい。スライドバネは、編み目支持部を有してもよい。編み目支持部は、先端の中腹部の隣に位置していてもよい。編み目支持部は、実質的には、バネ長手方向に延びていてもよい。スライドバネは、支持用の中腹部を有してもよい。支持用の中腹部は、編み目支持部の隣に位置していてもよい。支持用の中腹部は、実質的には、バネ高さ方向に延びていてもよい。スライドバネは、上縁を有してもよい。上縁は、支持用の中腹部の隣に位置していてもよい。上縁は、バネ高さ方向で閉鎖部から離れるように向いていてもよい。上縁は、実質的には、バネ長手方向に延びていてもよい。スライドバネは切り欠きを有してもよい。切り欠きは、上縁の隣に位置していてもよい。切り欠きは、バネ高さ方向に深く形成されてもよい。スライドバネは、傾斜部を有してもよい。傾斜部は、切り欠きの隣に位置していてもよい。編み目支持部の先端の中腹部、支持用の中腹部、上縁、切り欠き、及び／又は傾斜部は、頂部に配置されてもよい。スライドバネは、その接続部で、バネ高さ方向に下縁を有してもよい。下縁は、実質的には、バネ長手方向に延びていてもよい。スライドバネは、バネ幅方向でバネ内部とバネ外部とを備えていてもよい。スライドバネは、バネ幅方向で輪郭形成されたり、変形されたりしてもよい。
【００１４】
少なくとも１本のすじ部は、溝状の形状に形成されていてもよい。少なくとも１本のすじ部が、すじ部長手方向、すじ部幅方向、すじ部高さ方向に広がっていてもよい。すじ部長手方向は、少なくともほぼ、バネ長手方向と一致してもよい。少なくとも１本のすじ部が、少なくともほぼ、上縁の領域内で、バネ高さ方向に配置されていてもよい。これが、少なくともほぼ、上縁の延長線上に配置されていてもよい。少なくとも１本のすじ部が、少なくともほぼ、上縁と平行に配置されていてもよい。これが、少なくともほぼ、上縁に対して同軸的な配置になっていてもよい。少なくとも１本のすじ部が、少なくともほぼ、下縁の領域内で、バネ高さ方向に配置されていてもよい。これが、少なくともほぼ、下縁の延長線上に配置されていてもよい。少なくとも１本のすじ部が、少なくともほぼ、下縁と平行に配置されていてもよい。これが、少なくともほぼ、下縁に対して同軸的な配置になっていてもよい。少なくとも１本のすじ部が、バネ高さ方向で切り欠きより上に位置していてもよい。すじ内側凹部は、バネ内部に付いていてもよい。すじ外側凸部は、バネ外部に付いていてもよい。
【００１５】
バネ高さ方向で少なくとも１本のすじ部と隣り合うスライドバネの部分は、バネ幅方向で、少なくともほぼ、平行なレベルで配列されていてもよい。バネ高さ方向で少なくとも１本のすじ部と両隣であるスライドバネの領域は、バネ幅方向で、少なくともほぼ、同じレベルに揃っていてもよい。
【００１６】
スライドバネは、打ち抜かれ、変形された部品であってもよい。これは、熱処理されていてもよい。スライドバネは焼きなましされていてもよい。これは、焼き戻しされていてもよい。
【００１７】
これに加え、本発明を基礎付ける目的の達成として、スライド針のためのスライダーが提供される。スライダーはスライド本体を有し、スライダーは、スライダー長手方向、スライダー幅方向、スライダー高さ方向に広がっているスライダーであって、上述の第１のスライドバネと、上述の第２のスライドバネとを備えている。第１及び第２のスライドバネが、互いに反対向きになってスライダー幅方向にすじ部のすじ外側凸部とともに配列されていてもよい。これらは、少なくともほぼ、鏡像的に対称な形態に構成されていてもよい。第１のスライドバネ及び第２のスライドバネは、互いに平行に、かつ互いに距離をおいてすじ部を位置させるように、配列されていてもよい。
【００１８】
スライド本体は、スライダー長手方向に見て、スライドバネ側の端を備えていてもよい。スライドバネは、接続部によってスライドバネ側の端に接続されていてもよい。スライドバネとスライド本体は、摩擦力を利用した固着（ｋｒａｆｔｓｃｈｌｕｅｓｓｉｇ）、嵌め合いでの固着（ｆｏｒｍｓｃｈｌｕｅｓｓｉｇ）、及び／又は、材料相互の接合によって、互いに固着してもよい。これらは、可塑的変形によって互いに接合してもよい。スライドバネとスライド本体は、かしめによって互いに接合してもよい。これらは、弾性変形によって互いに接合してもよい。スライドバネとスライド本体は、互いに挟み付けてもよい。
【００１９】
スライドバネ側の端は、スライダー高さ方向に関して、針本体上でガイドするための下縁を備えていてもよい。スライドバネのすじ部は、少なくともほぼ、スライダー高さ方向で下縁の領域に位置していてもよい。これは、少なくともほぼ、下縁の延長線上に位置していてもよい。スライドバネのすじ部は、少なくともほぼ、下縁に対して平行に位置していてもよい。これは、少なくともほぼ、下縁と同軸に位置していてもよい。
【００２０】
スライダーは、少なくとも１個のスライド基材を備えていてもよい。少なくとも１個のスライド基材は、スライド本体に位置していてもよい。これは、少なくともほぼ、スライダー高さ方向に向いていてもよい。少なくとも１個のスライド基材は、ロックのロックチャンネルと係合するように働いてもよい。
【００２１】
これに加え、本発明を基礎付ける目的は、編み目形成用の繊維機械のためのスライド針で達成される。スライド針は、フックを有する針本体と、スライドチャンネルとを備え、フックはフック開口を有し、スライド針は、針長手方向、針幅方向及び針高さ方向に広がっているスライド針であって、上述のスライダーを備え、スライダーは、フック開口を開放、及び／又は閉鎖するために、針本体に対して針長手方向に変位可能である。
【００２２】
編み目形成用の繊維機械は、繊維品の工業的製造のために用いられてもよい。編み目形成用の繊維機械は、（自動の）編み機（Ｓｔｒｉｃｋｍａｓｃｈｉｎｅ）であってもよい。編み機は、丸編み機であってもよい。これは、平台型の編み機であってもよい。編み目形成用の繊維機械は、編み台の編み機（Ｗｉｒｋｍａｓｃｈｉｎｅ）であってもよい。これは、スライド針のための少なくとも１本の針チャンネルを備えていてもよい。少なくとも１本の針チャンネルは、針長手方向で変位可能にスライド針を受け入れるように構成されてもよい。編み目形成用の繊維機械は、少なくとも１個のカムを備えていてもよい。少なくとも１個のカムは、少なくとも１本のカム溝を有してもよい。少なくとも１個のカムは、動力で駆動されるものであってもよい。
【００２３】
フックは湾曲していてもよい。フックは、フック末端を有してもよい。フック末端は、スライダーの第１及び第２スライドバネの間に介在するようにされ、フック開口を閉鎖してもよい。
【００２４】
スライド針は、少なくとも１個の針基材を備えていてもよい。少なくとも１個の針基材が、針本体上に配置されていてもよい。これが、少なくともほぼ、針高さ方向に向いていてもよい。少なくとも１個の針基材が、ロックのロックチャンネルと係合する役割をしてもよい。
【００２５】
スライドチャンネルは、フックに隣り合って位置していてもよい。スライダーは、針長手方向に、スライドチャンネル内でスライドバネのガイド部でガイドされてもよい。フック開口が閉鎖されたときに、フックはそのフック末端が、スライダーの第１及び第２スライドバネの間に介在することが可能であり、スライドバネを針幅方向に押し離すことが可能である。
【００２６】
これに加えて、本発明を基礎付ける目的は、編み目形成用の繊維機械のためのガイド構造で達成される。ガイド構造は、スライド針のための少なくとも１本の針チャンネルを備え、少なくとも１本の針チャンネルは、チャンネル長手方向、チャンネル幅方向及びチャンネル高さ方向に広がっているガイド構造であって、上述の少なくとも１本のスライド針を備え、少なくとも１本のスライド針は、チャンネル長手方向に少なくとも１本の針チャンネル内でガイドされる。
【００２７】
少なくとも１本の針チャンネルは、また、ニッティングヘッド（Ｆｏｎｔｕｒｅ）と呼ばれるものであってもよい。少なくとも１本のスライド針は、針長手方向に針チャンネル内でスライド可能であってもよい。少なくとも１本の針チャンネルは、チャンネル高さ方向に開口した頂部を有してもよい。少なくとも１本のスライド針のすじ部は、頂部よりも下で、少なくとも１本の針チャンネル内に配置されていてもよい。
【００２８】
スライドバネのすじ部を有する少なくとも１本のスライド針は、フック開口が開放されたときは、少なくとも１本の針チャンネル内でチャンネル幅方向に遊びをもってガイドされてもよい。フック開口が閉鎖されたときには、チャンネル幅方向にすじ部とともにとどまっていてもよい。
【００２９】
バネ長手方向、すじ部長手方向、スライダー長手方向、針長手方向、チャンネル長手方向は、少なくともほぼ、一致してよい。バネ幅方向、すじ部幅方向、スライダー幅方向、針幅方向、チャンネル幅方向は、少なくともほぼ、一致してよい。バネ高さ方向、すじ部高さ方向、スライダー高さ方向、針高さ方向、チャンネル高さ方向は、少なくともほぼ、一致してよい。
【００３０】
これに加えて、本発明を基礎付ける目的は、上述の少なくとも１個のスライドバネを作成する方法で達成される。この方法では、複数個のスライドバネが、すじ内側凹部ですじ外側凸部をそれぞれ受け入れるように積み重ねられる。
【００３１】
要約すれば、また言い換えれば、スライドバネのすじ部の実施形態はとりわけ、本発明によって提供可能なものである。このスライドバネを作成するには、尖った工具、例えばのみを用いて、圧力をスライドバネの片側にかけて、これにより、普通は針長手方向に延びている各側に、ほぼ三角形の刻み目を形成してもよい。反対側では、全体的に丸みがついた突出部が形成されていてもよい。ここでの溝状の形状の実施形態は、すじ部と呼ばれてもよい。溝状の形状であって、凹部が突出部と反対側にある、異なる実施形態も、すじ部と呼ばれてよい。組み付けられたスライドバネで、丸みのある突出部が常に針から離れて、即ち、「外側」に向けて、向いているように、すじ部は作成されてもよい。
【００３２】
フック内部空間が開いているとき、即ち、フックが２個のスライドバネの間に介在していないときに、２個の相補的なスライドバネで外向きに向かう２本の丸みのある突出部のピーク同士の間で決まる距離が、各スライド針を考慮して形成された針チャンネルの幅より、小さくてもよい。
【００３３】
フック内部空間が閉じられている場合に、つまり、フックが２個のスライドバネの間に介在して、スライドバネが押し離されているときには、２本の丸みのある突出部の距離は、針チャンネルの幅とほぼ等しくなっていてもよい。フック内部空間が閉じられている場合にのみ、針は、針チャンネルの側壁でスライドバネのすじ部とともにとどまっていてもよい。
【００３４】
内向きに湾曲した凹面の曲りの中に全体的に嵌り込むように、ここに形成された、外向きに湾曲した凸面の曲り／突出部をもって、溝形状の曲り・すじ部が現れるように、すじ部は形成することが可能である。スライドバネは、ここに積み重ねることが可能である。
【００３５】
「してもよい」“ｋａｎｎ”という用語は、本発明の特に任意の特徴を意味するものである。従って、一つの特徴又は複数の各特徴を示す本発明の例示的な実施形態が存在することになる。
【００３６】
本発明は、スライドバネの剛性を、バネ高さ方向に延びる曲げ軸の周りで、増加させる。針チャンネル内でスライド針をガイドする性能が改善される。針チャンネル内で、一層精度の高いスライド針のガイドが可能になる。フック開口が閉じているときに、針チャンネル内でスライドバネを支持することが可能になる。一層精度の高い編み目形成が可能になる。繊維加工品の製造が、より一層の細かさをもって可能になる。荷重のピークは低減される。作動できる時間は長くなる。製造費用、取扱い費用、収納のための費用、運送費用、物流作業の費用などの費用が低減される。スライドバネを重ね合せることが、可能になり、又は容易になる。スライドバネの積層体の安定性が増す。スライドバネを積層体として分けて扱うことが、可能になり、又は容易になる。
【図面の簡単な説明】
【００３７】
図面を参照して、本発明の例示的な実施形態を、下記のように詳細に説明する。その他の特徴や利点は、この説明と区別が可能なものである。これらの例示的な実施形態の具体的特徴は、本発明の全体的な特徴であってよい。他の特徴に関連するこの例示的な実施形態の特徴は、さらに、本発明の個々の特徴であってよい。
【００３８】
このことは、下記の図面に例として図式的に示される。
【００３９】
【図１】斜視図、側面図、Ｃ−Ｃ線における断面図に、編み機のためのスライド針を示す。
【図２】すじ部を有するスライドバネを示す。
【図３】断面図に、同様な横断面上の輪郭線を備えたスライドバネのすじ部を示す。
【図４】積み重ねられたスライドバネを示す。
【発明を実施するための形態】
【００４０】
図１に、スライド針１００を破断した状態で、斜視図、側面図、またＣ−Ｃ線における断面図で示す。スライド針１００は編み機に用いられる。これは、針本体１０２及びスライダー１０４を備えている。
【００４１】
針本体１０２は、フック１０６とスライドチャンネル１０８を有する。スライドチャンネル１０８は、二つの側壁、底部、開口した頂部を備えている。スライドチャンネル１０８は、フック１０６に向けて延びて形成されている。フック１０６は、フック開口とフック末端を備えている。フック１０６は約１８０°の円弧状の部分を有する。
【００４２】
スライダー１０４は、スライド本体１１０、第１スライドバネ１１２及び第２スライドバネ１１４を備えている。これは、フック開口を開放、かつ／又は閉鎖するように作用する。スライダー１０４は、針本体１０２に対して長手方向ｌにスライド可能である。これは、長手方向ｌに針本体１０２上をスライド可能にガイドされている。スライダー１０４は、フック開口が開かれる第１端位置と、フック開口が閉ざされる第２端位置との間で、長手方向ｌにスライド可能である。
【００４３】
図２に、単独の要素として破断した状態で、第１スライドバネ１１２を示している。下記の説明では、第１スライドバネ１１２は、例示として説明する。第１スライドバネ１１２の説明はさらに、第２スライドバネ１１４にも当てはまるものである。第１スライドバネ１１２及び第２スライドバネ１１４は、互いに鏡像的に対称になっている。
【００４４】
スライドバネ１１２は、外周縁を有する板バネの形状に形成されている。スライドバネ１１２は、幅方向ｂに、バネ内側部１１６と、バネ内側部１１６の逆側のバネ外側部１１８とを備えている。高さ方向ｈには、スライドバネ１１２は、頂部と、頂部の逆側の底部とを備えている。長手方向ｌには、スライドバネ１１２はフック方向先端１２０を備えている。これは閉鎖部１２２を有する。閉鎖部１２２は、フック開口を閉じるように作用する。閉鎖部１２２はフック方向先端１２０に配置され、底部に沿って延びている。スライドバネ１１２は、接続部１２４を有する。接続部１２４は、スライドバネ１１２をスライド本体１１０に接続している。これは、長手方向ｌにフック方向先端１２０と反対側で、スライドバネ１１２の端に配置されている。スライドバネ１１２はガイド部１２６を有する。ガイド部１２６は、針本体１０２上でスライドバネ１１２をガイドする作用をする。これはスライドバネ１１２の下方に配置されている。ガイド部１２６は、走行部の形状になっている。これは閉鎖部１２２に隣り合って配置されている。
【００４５】
第１スライドバネ１１２は、外周縁が形作られている。フック方向先端１２０では、第１スライドバネ１１２が、先端の中腹部１２８を有して鼻形状になっている。長手方向ｌに延びる縁に沿って、上側には、編み目支持部１３０、支持用の中腹部１３２、上縁１３４、切り欠き１３６、及び傾斜部１３８が配列されている。傾斜部１３８は接続部１２４へ続いている。
【００４６】
第１スライドバネ１１２はすじ部１４０（Ｓｉｃｋｅ；ｂｅａｄ，ｃｒｉｍｐ）を備えている。すじ部１４０は、すじ内側凹部１４２及びすじ外側凸部１４４を有する。すじ内側凹部１４２は、バネ内側部１１６に配置されている。すじ外側凸部１４４は、バネ外側部に配置されている。すじ部１４０は、高さ方向ｈでは上縁１３４の領域に位置する。すじ部１４０は上縁１３４の延長線上に配置されている。切り欠きが、上縁１３４とすじ部１４０との間に形成されている。すじ部１４０と高さ方向ｈに両隣になっているスライドバネ１１２の領域は、幅方向ｂでは同一平面上に揃っている。
【００４７】
スライドバネ１１２は鋼鉄で作られている。スライドバネ１１２は、幅方向ｂに関してすじ部１４０の領域内で、減少した材料厚みを有する。第２スライドバネ１１４は、鏡像的に対称な配置で対応すじ部１４６を備えている。
【００４８】
スライドバネ１１２，１１４は、最初はスライド本体１１０と別体に作成され、後に、例えば、かしめ又は締め付けによって、スライド本体１１０に固着して取り付ける。スライドバネ１１２，１１４は、幅方向ｂに見て横並びに配置されている。スライドバネ１１２，１１４で、符号１４２に示すすじ内側凹部が、互いに対向している。スライドバネ１１２，１１４で、符号１４４に示すすじ外側凸部が、幅方向ｂに外向きに延びている。スライドバネ１１２，１１４は、符号１２６に示すガイド部によって、長手方向ｌにスライドチャンネル１０８内をガイドされる。
【００４９】
スライド本体１１０は、針本体１０２上にガイドするための下縁１４８を有する。スライドバネ１１２，１１４のすじ部１４０，１４６は、下縁１４８の領域内で高さ方向ｈの側に配置されている。スライドバネ１１２，１１４のすじ部１４０，１４６は、下縁１４８の延長線上に配列されている。
【００５０】
図１に示す第２端位置では、フック末端はスライドバネ１１２，１１４の間に介在し、介在するフック末端の幅に対応した介在領域で、スライドバネ１１２，１１４を幅方向ｂに弾性的に相互に離すように押す。スライドバネ１１２，１１４は、符号１２４に示す接続部でスライド本体１１０に挟まれ、符号１２６に示すガイド部でスライドチャンネル１０８内に収容されるので、スライドバネ１１２，１１４は、変化のある幅で、異なる領域で幅方向ｂに押して離される。第１端位置では、フック末端はスライドバネ１１２，１１４の間には介在せず、スライドバネ１１２，１１４は、条件によって付勢を行い、断面で見て互いに接触する。
【００５１】
スライド針１００を使用する編み機は、符号１００で示すスライド針を受け入れる複数の針チャンネルを備えている。各針チャンネルは、長手方向ｌに延び、二つの横壁、底部、開口した頂部を有する。横壁は幅方向ｂに針チャンネルを画定し、底部は、高さ方向ｈに針チャンネルを画定する。スライド針１００が針チャンネル内に配置されると、すじ部１４０，１４６は、開口した頂部よりも下で、高さ方向ｈに針チャンネル内に配列される。スライド針１００は、長手方向ｌに針チャンネル内で変位可能である。スライド針１００、及びスライド針１００を収容した針チャンネルは、ガイド構造をなしている。フック開口が開いたときに、スライド針１００は、遊びをもって幅方向ｂに針チャンネル内でガイドされる。フック開口が閉じられたときに、スライド針１００は、幅方向ｂに針チャンネル内ですじ部１４０，１４６とともにとどまる。
【００５２】
図３に、スライドバネ１１２，１１４のようなスライドバネのすじ部２００を示す。スライドバネ１１２，１１４は、図１，２に示すように同じ横断面の輪郭を有する。すじ内側凹部２０２及びすじ外側凸部２０４は、同じ横断面の輪郭になっている。すじ内側凹部２０２とすじ外側凸部２０４とは、それぞれ円弧状の横断面を有する。すじ内側凹部２０２は、より小さな半径の円弧状の横断面を有する。すじ外側凸部２０４は、より大きな半径の円弧状の横断面を有する。さらに言えば、この補足として、特に図１，２とその関連する説明が参照される。
【００５３】
図４に、符号３００で示す積層したスライドバネ、即ち図１，２に係るスライドバネ１１２，１１４などのスライドバネを示す。スライドバネ３００は、同様な横断面の輪郭線を有するすじ部３０２、例えば図３に係るすじ部２００などのすじ部を備えている。同様な横断面の輪郭線を有するすじ部３０２により、スライドバネ３００は、確実にかつ安定して積層することが可能になる。
【００５４】
スライドバネ３００は、積層体３０４を構成する。積層体３０４は第１スライドバネだけ、又は第２スライドバネだけから形成される。スライドバネ３００は、その外周縁を互いに揃えるように重ねられる。また、そのすじ部を順に収容するように重ねられる。この場合、各すじ内側凹部は、すじ外側凸部を受ける形になる。
【００５５】
幅方向ｂに減少した材料厚みによって、符号３０６で示す３００本のチャンネルが、積層したスライドバネの間に形成される。各チャンネルは、横断面で見て鎌の形状になっている。スライドバネ３００は、製造のための工程、例えば、洗浄、移送、及び／又は収納の工程を行うために積み重ねられる。スライドバネ３００は、手作業で、又は自動操作で、積み重ねられる。
【符号の説明】
【００５６】
１００  スライド針
１０２  針本体
１０４  スライダー
１０６  フック
１０８  スライドチャンネル
１１０  スライド本体
１１２  第１スライドバネ
１１４  第２スライドバネ
１１６  バネ内側部
１１８  バネ外側部
１２０  フック方向先端
１２２  閉鎖部
１２４  接続部
１２６  ガイド部
１２８  先端の中腹部
１３０  編み目支持部
１３２  支持用の中腹部
１３４  上縁
１３６  切り欠き
１３８  傾斜部
１４０  すじ部
１４２  すじ内側凹部
１４４  すじ外側凸部
１４６  対応すじ部
１４８  下縁
２００  すじ部
２０２  すじ内側凹部
２０４  すじ外側凸部
３００  スライドバネ
３０２  すじ部
３０４  積層体
３０６  チャンネル
【図１】
0006759238.tif 000002
【図２】
0006759238.tif 000003
【図３】
0006759238.tif 000004
【図４】
0006759238.tif 000005